(57)【特許請求の範囲】
【請求項１】
光ディスク記録再生装置であって、
記録管理情報を光ディスクに書き込む記録部と
記録管理情報の書き込み後に、最新の記録管理情報のアドレスを検索する検索部と、
前記記録部にて記録された記録管理情報の光ディスク上の位置情報として記憶装置に記憶されている記録管理情報のアドレスと、前記検索部にて検索された記録管理情報のアドレスとを比較する比較部と、
を有する光ディスク記録再生装置。
【請求項２】
前記記録部は、前記検索部において、最新の記録管理情報のアドレスが検索できなかった場合に再度記録管理情報を記録する第一再記録手段をさらに有する請求項１に記載の光ディスク記録再生装置。
【請求項３】
前記記録部は、前記比較部において、前記記録部にて記録された記録管理情報のアドレスと、前記検索部にて検索された記録管理情報のアドレスとを比較して一致しなかった場合に再度記録管理情報を記録する第二再記録手段をさらに有する請求項１に記載の光ディスク記録再生装置。
【請求項４】
光ディスク記録再生装置の記録管理情報が正確に読み取り可能かどうかを確認する方法であって、
記録管理情報を光ディスクに書き込む記録ステップと、
前記記録ステップにて記録された最新の記録管理情報のアドレスを検索する検索ステップと、
前記記録ステップにて記録された記録管理情報のアドレスと、前記検索ステップにて検索された記録管理情報のアドレスとを比較する比較ステップと、
を有する光ディスク記録再生装置の記録管理情報が正確に読み取り可能かどうかを確認する方法。
【請求項５】
前記検索ステップにおいて、最新の記録管理情報のアドレスが検索できなかった場合に、再度記録管理情報を記録する第一再記録ステップを、さらに有する請求項４に記載の光ディスク記録再生装置の記録管理情報が正確に読み取り可能かどうかを確認する方法。
【請求項６】
前記比較ステップにおいて、前記記録ステップにて記録された記録管理情報のアドレスと、前記検索ステップにて検索された記録管理情報のアドレスとを比較して一致しなかった場合に、再度記録管理情報を記録する第二再記録ステップを、さらに有する請求項４に記載の光ディスク記録再生装置の記録管理情報が正確に読み取り可能かどうかを確認する方法。
【発明の詳細な説明】
【技術分野】
【０００１】
本発明は、光ディスクなどの記録媒体にデータを記録する技術に関する。
【背景技術】
【０００２】
光ディスク記録再生装置では、DVD-RディスクやDVD-RWディスクなどの光ディスクにデータを記録する際には、画像データや映像データなどの電子データとともに、記録するデータの記録管理情報についても記録する。そして、DVD-RディスクやDVD-RWディスクなどの光ディスクが光ディスク記録再生装置に挿入されると、まず、この記録管理情報を読み取り、光ディスクに記録されている電子データの位置や、残りの記録可能領域の容量、追記開始アドレスなどの情報を得て、電子データの読み取りを行う。しかし、記録管理情報を正確に読み取ることができない場合には、電子データが正確に記録されていた場合であっても、電子データを正確に読み取ることができない。そのため、光ディスク記録再生装置では、記録管理情報の記録時に、読み取りが可能かどうかの確認を行い、読み取り不可の場合には再度記録管理情報を記録する（例えば、特許文献１）。
【特許文献１】特開平１１−５３８４５
【発明の開示】
【発明が解決しようとする課題】
【０００３】
しかし、光ディスク記録再生装置への光ディスク挿入時には、まず、記録管理情報が記録されているアドレスを検索し、次に検索したアドレスから記録管理情報の読み取りを行う。そのため、検索を行うアドレスの付近に傷があると、記録管理情報が正しく記録されていたか否かに関わらず、最新の記録管理情報を検索することができないことにより、記録管理情報を読み取ることができず、光ディスクに記録されている電子データについても読み取ることができないという課題がある。
【課題を解決するための手段】
【０００４】
上記課題を解決するために、本発明では、光ディスク記録再生装置であって、記録管理情報を光ディスクに書き込む記録部と、記録管理情報の書き込み後に、最新の記録管理情報のアドレスを検索する検索部と、を有する光ディスク記録再生装置を提案する。
【０００５】
第二発明では、第一発明に記載の光ディスク記録再生装置であって、前記記録部にて記録された記録管理情報のアドレスと、前記検索部にて検索された記録管理情報のアドレスとを比較する比較部をさらに有する光ディスク記録再生装置を提案する。
【０００６】
第三発明では、第一発明に記載の光ディスク記録再生装置であって、前記記録部は、前記検索部において、最新の記録管理情報のアドレスが検索できなかった場合に再度記録管理情報を記録する第一再記録手段をさらに有する光ディスク記録再生装置を提案する。
【０００７】
第四発明では、第二発明に記載の光ディスク記録再生装置であって、前記記録部は、前記比較部において、前記記録部にて記録された記録管理情報のアドレスと、前記検索部にて検索された記録管理情報のアドレスとを比較して一致しなかった場合に再度記録管理情報を記録する第二再記録手段をさらに有する光ディスク記録再生装置を提案する。
【０００８】
第五発明では、光ディスク記録再生装置の記録管理情報が正確に読み取り可能かどうかを確認する方法であって、記録管理情報を光ディスクに書き込む記録ステップと前記記録ステップにて記録された最新の記録管理情報のアドレスを検索する検索ステップと、を有する光ディスク記録再生装置の記録管理情報が正確に読み取り可能かどうかを確認する方法を提案する。
【０００９】
第六発明では、第五発明に記載の光ディスク記録再生装置の記録管理情報が正確に読み取り可能かどうかを確認する方法であって、前記記録ステップにて記録された記録管理情報のアドレスと、前記検索ステップにて検索された記録管理情報のアドレスとを比較する比較ステップと、をさらに有する光ディスク記録再生装置の記録管理情報が正確に読み取り可能かどうかを確認する方法を提案する。
【００１０】
第七発明では、第五発明に記載の光ディスク記録再生装置の記録管理情報が正確に読み取り可能かどうかを確認する方法であって、前記検索ステップにおいて、最新の記録管理情報のアドレスが検索できなかった場合に、再度記録管理情報を記録する第一再記録ステップを、さらに有する光ディスク記録再生装置の記録管理情報が正確に読み取り可能かどうかを確認する方法を提案する。
【００１１】
第八発明では、第六発明に記載の光ディスク記録再生装置の記録管理情報が正確に読み取り可能かどうかを確認する方法であって、前記比較ステップにおいて、前記記録ステップにて記録された記録管理情報のアドレスと、前記検索ステップにて検索された記録管理情報のアドレスとを比較して一致しなかった場合に、再度記録管理情報を記録する第二再記録ステップを、さらに有する光ディスク記録再生装置の記録管理情報が正確に読み取り可能かどうかを確認する方法を提案する。
【発明の効果】
【００１２】
以上のような構成をとる本発明によって、記録管理情報を光ディスクに書き込む機能および最新の記録管理情報のアドレスを検索する機能に加え、実際に記録された記録管理情報のアドレスと、検索された記録管理情報のアドレスを比較することができるため、検索された記録管理情報のアドレスが正しいかどうかを判断することができる。
【発明を実施するための最良の形態】
【００１３】
以下に、図を用いて本発明の実施の形態を説明する。なお、本発明はこれら実施の形態に何ら限定されるものではなく、その要旨を逸脱しない範囲において、種々なる態様で実施しうる。なお、実施形態２は主に請求項１、４について説明する。また、実施形態３は主に請求項２、５について説明する。また、実施形態４は主に請求項３、６について説明する。なお、これらに先立ち、実施形態１は、本発明の特許請求の範囲には含まれないが、主に請求項１の光ディスク記録再生装置において比較部が必須構成要素でないものおよび請求項４の方法において比較ステップが必須構成要素でないものについて説明する。
【００１４】
≪実施形態１≫  （実施形態１の概念）図１に示すのは、本実施形態の光ディスク記録再生装置の一例を説明するための図面である。以下、本実施形態の光ディスク記録再生装置の構成を説明しつつ、記録管理情報が正確に読み取り可能かどうかの確認するための具体的処理について説明する。
【００１５】
（実施形態１の構成）図１は、本実施形態の光ディスク記録再生装置の機能ブロック図の一例を表す図である。図１にあるように、本実施形態の光ディスク記録再生装置（０１００）は、「記録部」（０１０１）と、「検索部」（０１０２）と、を有する。
【００１６】
（実施形態１の構成の説明）「記録部」（０１０１）は、記録管理情報を光ディスク（０１１０）に書き込む機能を有する。「光ディスク」とは、データの読み書きにレーザー光を利用する記憶媒体のことをいい、CD、CD-R、DVD±R、DVD±RW、PDなどが該当する。「記録管理情報」とは、光ディスクに記録されているデータの位置や、残りの記録可能領域の容量、データの追記開始アドレスなどの管理情報を含み、主にDVD-RやDVD-RWに記録される。
【００１７】
図２に示すように、具体的には、DVD-ＲやDVD-RWなどの光ディスクには、Information areaと呼ばれる映像データなどの再生可能データを記録する領域と、Information area の内側にR-Information areaと呼ばれる領域が配置され、このR-Information areaに記録管理情報領域（RMA(Recording Management Area)）が存在し、このRMAに記録管理情報（RMD（Recording Management Data））を記録する。１個のRMAは、１個のRMA Lead-inと、７００個のRMDの記録領域で構成されている。この個々のRMD記録領域に、データの具体的な管理情報が記録されている。なお、１つのRMDは１ECCブロック（Error Correction Codeブロック）の大きさを有する。さらに、この１ECCブロックは１６個のセクタで構成される（図２においては、０から９、ａからｆで表されている）。
【００１８】
「検索部」（０１０２）は、最新の記録管理情報のアドレスを検索する機能を有する。検索部が行う最新の記録管理情報のアドレス検索は、光ディスク記録再生装置が起動時に行うアドレス検索と同一の検索方法にて行われる。本実施形態では、「記録管理情報の書き込み後」に、検索を行う点に特徴を有する。「記録管理情報の書き込み後」とは、記録管理情報の書き込みをした後であって、光ディスクをイジェクト等することによって書き込み処理を終了してしまう前までをいう。なお、記録管理情報の記録をした直後に検索が行われることが望ましい。「最新の記録管理情報」とは、記録部に記録された記録管理情報のうち最新のものをいい、最後に記録された記録管理情報をいう。「記録管理情報のアドレス」とは、光ディスクのどこに記録管理情報が記録されているのかを示す情報である。「最新の記録管理情報のアドレス」とは、光ディスクのどこに最新の記録管理情報が記録されているのかを示す情報である。以下に最新の記録管理情報のアドレスを検索する方法についてDVD-Rディスクの場合について具体的に説明する。
【００１９】
図２で示すとおり、DVD-Rディスクでは、上述の記録管理情報領域であるRMAに記録管理情報であるRMDが記録される。RMDは、１ECCブロックにおける１６個のセクタに記録される。各セクタに記録されたRMDはデータ識別子（データID）を有する。このデータ識別子は識別子番号からなり、識別子番号の下位４ビットには０からｆの値が付与されて、xxxx00hからxxxx0fhのように表される。このように表された識別子番号を、以下「ID」という。IDはRMDが有する識別子番号であるため、RMDが記録されている領域のみで読み取ることが可能である。また、DVD-Rディスクには、ディスク上に一定の間隔で配置されているLPP（ランドプリピット）と呼ばれるアドレスピットをデフォルトで有している。このアドレスピットによって特定されるアドレスを「LPPブロックアドレス」という。LPPブロックアドレスは、DVD-Rディスクにデフォルトで配置されているアドレスピットから読み取ることができるので、RMDの記録の有無に関わらず読み取ることができる。なお、LPPブロックアドレスの間隔は１ECCブロックに等しい。
【００２０】
図３（A）及び図３（B）に示すように、RMD（０３０１）はRMAの最内周から順に記録されており、ID（０３０４）及びLPPブロックアドレス（０３０５）はRF検索（０３０３）をする際に読み取られる。RF検索とは、DVD−Rディスク上のRF信号の有無を検索することであり、RMDが記録されている領域は光ディスク上にデータが記録されているためRF信号が有と判定され、RMDが記録されていない領域は光ディスク上にデータが記録されていないためRF信号が無と判定される。最新のRMD（０３０２）はRF信号が有から無に変化する位置P点（０３０８）から１ECCブロック内周側に遡ったO点（０３０９）までの間に存在するので、RF信号が有から無に変化する位置を特定することで、最新のRMDが記録されているアドレスを特定することが可能である。しかし、RF信号による有無のみでは、RF信号が有から無に変化する位置P点を高精度で特定することができないため、RF信号有から無に移行する直前のID（０３０６、以下「記録管理情報末尾ID」という）と、RF信号有から無に移行した直後のLPPブロックアドレス（０３０７、以下「移行後LPPアドレス」という）が所定の関係を満たすか否かを判断することにより、RF信号が有から無に変化する位置、すなわち最新のRMDが記録されているアドレスが正しく検索されたかどうかの判断をすることができる。ここでは、説明のため、LPPブロックアドレスが配置されているタイミングをIDの下一桁がゼロのときとした。すなわち、図３（B）では、IDがxxxx20hや、xxxx30hとなるタイミングでLPPブロックアドレスが配置されている場合を例示している。しかし、LPPブロックアドレスの配置は図３（B）のような配置に限られない。また、IDとLPPブロックアドレス、P点やO点などとの関係はデコードする回路によっても変化する。以下に、図３（B）を用いて最新のRMDの検索方法を説明する。
【００２１】
DVD-RドライブにDVD-Rディスクがローディングされると、フォーカスやトラック等のサーボを入れ、サーボの調整を行う。次に図３（B）に示すとおり、AからBに向けてRF検索を行いながら、RF振幅有からRF振幅無に変化したことを検出する。矢印AではRF振幅有を確認しながらIDを読み取り、矢印BではRF振幅無を確認しながらLPPブロックアドレスを読み取る。このようにして、記録管理情報末尾IDと、移行後LPPアドレスを読み取る。最新のRMDのアドレスを特定するためには、記録管理情報末尾IDと、移行後LPPアドレスとが所定の関係を有している必要がある。所定の関係について、以下に説明する。
【００２２】
図３（B）に示す例では、記録管理情報末尾ID（０３０６）と、移行後LPPアドレス（０３０７）は、それぞれの下位二桁が、所定の関係「移行後LPPアドレス×10h＝記録管理情報末尾ID」を有している。IDxxxx30hから１ECCブロック分新しくRMDが記録された場合には、RF検索によって、記録管理情報末尾IDがxxxx40h、移行後LPPアドレスがxxxx04h、と読み取ることができれば、記録管理情報末尾IDと、移行後LPPアドレスが前記所定の関係を満たしているため、RF信号が有から無に変化する位置P点を特定することができる。RMD１個は１ECCブロックの大きさを有するため、このP点から１ECCブロック遡ったO点から最新のRMDを読み取ることができる。以上のようにして、このO点又はP点を特定することが可能であれば、前記「最新の記録管理情報のアドレス」が検索できたことになる。
【００２３】
なお、検索部で検索されるアドレスは、最新の記録管理情報のアドレスを検索することができる方法であれば、上記手法に限らず他の手法を用いても構わない。例えば、上記例において、「記録管理情報末尾ID」や、RF信号が有から無に変化したことを検出した後の「移行後LPPアドレス」のいずれかを正確に特定し、最新の記録管理情報のアドレスを特定することができるのであれば、検索部に必要な機能を有することとなる。
【００２４】
（実施形態１の処理の流れ）図４に示すのは、本実施形態の処理の流れの一例を表すフローチャートである。なお、以下の処理の流れは、方法、計算機に実行させるためのプログラム、またはそのプログラムが記録された読み取り可能な記録媒体として実施されうる（以下、本発明における処理の流れの記載についても同様である）。
【００２５】
図４にあるように、まず記録管理情報を光ディスクに書き込む（記録ステップＳ０４０１）。次に、記録ステップにて記録された最新の記録管理情報のアドレスを検索する（検索ステップＳ０４０２）。なお、従来技術で行われているように、記録管理情報の読み取りを試みて、エラーとなる場合には新たに記録管理情報を記録する処理を追加しても良い。この処理は、記録ステップ（Ｓ０４０１）以降に行うことが可能である。
【００２６】
（実施形態１の効果の簡単な説明）以上のように、本実施形態の光ディスク記録再生装置によって、光ディスクの読み取り時に行う検索動作を、記録管理情報の記録後に行うことにより、記録管理情報の読み取りエラーが発生するか否かの判断を光ディスクへの書き込み処理を終了してしまう前に行うことができるため、次回光ディスク読み取り時になって初めて記録管理情報の検索ができないことに気づくということを防ぐことができる。
【００２７】
≪実施形態２≫  （実施形態２の概念）図５に示すのは、本実施形態の光ディスク記録再生装置の一例を説明するための図面である。実施形態１の光ディスク記録再生装置により検索された記録管理情報のアドレスを、実際に記録された記録管理情報のアドレスと比較することで、検索の精度を高めることができる。以下、本実施形態の光ディスク記録再生装置の構成を説明しつつ、記録管理情報が正確に読み取り可能かどうかの確認するための具体的処理について説明する。
【００２８】
（実施形態２の構成）図５は、本実施形態の光ディスク記録再生装置の機能ブロック図の一例を表す図である。図５にあるように、本実施形態の光ディスク記録再生装置（０５００）は、実施形態１に記載の「記録部」（０５０１）と、「検索部」（０５０２）と、を有する。ただし、上記機能ブロックは実施形態１で説明済みであるのでその説明は省略する。そして本実施形態の光ディスク記録再生装置は、「比較部」（０５０３）をさらに有することを特徴とする。
【００２９】
（実施形態２の構成の説明）「比較部」（０５０３）は、記録部にて記録された記録管理情報のアドレスと、検索部にて検索された記録管理情報のアドレスとを比較する機能を有する。「記録部にて記録された記録管理情報のアドレス」とは、記録部にて実際に記録された記録管理情報の位置情報である。記録管理情報を記録するためには、記録管理情報を光ディスク上のどこに記録するかを特定しなければならないため、直前に記録された記録管理情報のアドレスは、例えば光ディスク記録再生装置のRAMなどに記憶されていると考えられ、容易に特定することが可能である。「検索部によって検索された記録管理情報のアドレス」とは、検索部での検索によって特定された記録管理情報のアドレスをいう。「比較」とは、記録部にて記録された記録管理情報のアドレスと、検索部にて検索された記録管理情報のアドレスとが、一致するか否かを判断することをいう。一致するか否かの判断は、例えば、実施形態1に記載のDVD-Rディスクでは、記録されたRMDの記録開始位置と、検索部で検索されたアドレスである図３（B）におけるO点（０３０９）とを比較して判断してもいいし、記録されたRMDの記録終了位置と、検索部で検索されたアドレスである図３（B）におけるP点（０３０８）とを比較して判断してもいいし、その他の比較可能な点にて判断してもいい。
【００３０】
（実施形態２の処理の流れ）図６に示すのは、本実施形態の処理の流れの一例を表すフローチャートである。図６にあるように、まず記録管理情報を光ディスクに書き込む（記録ステップＳ０６０１）。次に、記録ステップにて記録された最新の記録管理情報のアドレスを検索する（検索ステップＳ０６０２）。次に記録ステップにて記録された記録管理情報のアドレスと、検索ステップにて検索された記録管理情報のアドレスとを比較する（比較ステップＳ０６０３）。なお、従来技術のように、記録管理情報の読み取りを試みて、エラーとなる場合には新たに記録管理情報を記録する処理を追加しても良い。この処理は、記録ステップ（Ｓ０６０１）以降であれば、どの段階で行っても良い。
【００３１】
（実施形態２の効果の簡単な説明）以上のように、本実施形態の光ディスク記録再生装置によって、実施形態１にかかる光ディスク記録再生装置の機能に加えて、実際に記録された記録管理情報のアドレスと、検索された記録管理情報のアドレスを比較することができる。このため、検索された記録管理情報のアドレスが正しいかどうかを判断することができる。
【００３２】
≪実施形態３≫  （実施形態３の概念）本実施形態の光ディスク記録再生装置は、実施形態１の光ディスク記録再生装置を基本とし、さらに、記録管理情報の検索ができなかった場合には、再度記録管理情報を記録する第一再記録手段を備えていることを特徴とする。以下、本実施形態の光ディスク記録再生装置の構成を説明しつつ、記録管理情報の検索ができなかった場合に再度記録管理情報を記録するための具体的処理について説明する。
【００３３】
（実施形態３の構成）図７は、本実施形態の光ディスク記録再生装置の機能ブロックの一例を表す図である。図７にあるように、本実施形態の光ディスク記録再生装置（０７００）は、実施形態１に記載の光ディスク記録再生装置を基本として、「記録部」（０７０１）と、「検索部」（０７０２）と、を有する。ただし、上記機能ブロックは実施形態１で説明済みであるのでその説明は省略する。そして特徴点として、「記録部」（０７０１）が「第一再記録手段」（０７０３）をさらに有する。
【００３４】
（実施形態３の構成の説明）「第一再記録手段」（０７０３）は、記録部に備えられ、検索部にて、最新の記録管理情報のアドレスが検索できなかった場合に再度記録管理情報を光ディスクに記録する機能を有する。「最新の記録管理情報のアドレスが検索できなかった場合」とは、検索部にて記録管理情報のアドレス検索に失敗した場合である。
【００３５】
図８（A）に示すのは、例えば実施形態１に記載のDVD-Rディスクにおいて、最後に記録したRMD（０８０１）の書き込みエラーにより、１６個のセクタを有する１ECCブロックの内、１５個のセクタしか書き込みが成功せず、最後の１セクタ分情報が欠落した場合である。このとき、RF検索（０８０２）では、実施形態１に記載したRF信号有から無に移行する直前のIDである「記録管理情報末尾ID」がxxxx3fh（０８０３）と読み取られ、RF信号有から無に移行した直後のLPPブロックアドレスである「移行後LPPアドレス」がxxxx03h（０８０４）と読み取られる。このため、下位二桁の所定の関係が「移行後LPPアドレス×10h＝記録管理情報末尾ID」を満たさなくなり、RF信号が有から無に変化する位置を特定することができない。すなわち、最新のRMDが記録されている位置を特定することができずに、最新のRMDのアドレス検索が失敗する。この場合には、読み取った記録管理情報末尾IDと移行後LPPアドレスの関係が、下位二桁において「移行後LPPアドレス×10h＋fh＝記録管理情報末尾ID」となっており、検索によってRMDが１セクタ分欠落していることを確認することができる。そして、第一再記録手段によりRMDが再び記録される。RMDの再記録方法は、図８（B）に示すように最後の欠落した１セクタ分についてはIDを有するダミー情報（０８０５）を記録し、IDxxxx40h（０８０７）から新しくRMD（０８０６）を記録してもいいし、図８（C）のように最後の欠落した１セクタ分から、すなわちIDxxxx3fh（０８０９）から新しくRMD（０８０８）を記録してもいい。なお、前者の場合には、実施形態１における記録管理情報末尾IDと移行後LPPアドレスの所定の関係は変わらないが、後者の場合は上記のとおり所定の関係が変更されるため（下位二桁において「移行後LPPアドレス×10h＋fh＝記録管理情報末尾ID」）、以後のRMDの検索においても変更された所定の関係を満たすか否かの判断をする必要がある。
【００３６】
また、図９（A）に示すのは、光ディスク上に傷（０９０３）がある場合である。このとき、RF検索（０９０２）では、記録管理情報末尾ID（０９０４）を読み取ることができるが、移行後LPPアドレス（０９０５）を読み取ることができなくなる。この場合も記録管理情報末尾IDと移行後LPPアドレスは所定の関係を満たさなくなり、RF信号が有から無に変化する位置を特定することができず、最新のRMD（０９０１）のアドレス検索は失敗する。この場合には、第一再記録手段により、図９（B）のように最後に記録した最新のRMDに続いてIDxxxx40hから新しくRMD（０９０６）を記録する。しかし、新たに記録されたRMD自体が光ディスク上の傷がある領域に記録されているため、RMDが読み取れない可能性が高くなる。そのため、図９（C）のように、さらにIDxxxx50hから新しいRMD（０９０７）を記録することが有効である。このとき、IDxxxx40hからIDxxxx50hに記録されたRMD（０９０６）は、RMDそのものであってもいいし、IDを有するダミー情報を記録してもいい。
【００３７】
さらに、図１０（A）に示すのは、RF検索（１００２）にて、記録管理情報末尾ID（１００３）を読み取った後の移行後LPPアドレスの読み取りにおいて、RF信号有から無に移行した直後のQ点におけるLPPブロックアドレス（１００４）の読み取りをミスし、R点における次のLPPブロックアドレス（１００５）を移行後LPPアドレスとして読み取ってしまった場合である。この場合にも読み取った記録管理情報末尾IDと移行後LPPアドレスは所定の関係を満たさなくなり、RF信号が有から無に変化する位置を特定することができず、最新のRMD（１００１）のアドレス検索が失敗する。この場合には、第一再記録手段により、図１０（B）のように最後に記録した最新のRMDに続いてIDxxxx40hから新しくRMD（１００６）を記録する。
【００３８】
（実施形態３の処理の流れ）図１１に示すのは、本実施形態の処理の流れの一例を表すフローチャートである。図１１に示すように、まず、記録管理情報を光ディスクに書き込む（記録ステップＳ１１０１）。次に、記録ステップにて記録された最新の記録管理情報のアドレスを検索する（検索ステップＳ１１０２）。次に、検索ステップにて、最新の記録管理情報のアドレス検索が成功したか否かを判断する（Ｓ１１０３）。検索ステップにおいて、最新の記録管理情報のアドレス検索が失敗した場合には、再度記録管理情報を記録する（第一再記録ステップＳ１１０４）。第一再記録ステップにて再度記録管理情報を記録した後は、再び検索ステップ（Ｓ１１０２）を行い、第一再記録ステップによって記録された記録管理情報のアドレスを検索する。記録管理情報のアドレス検索が成功するまでこの第一再記録ステップ（Ｓ１１０４）を繰り返す。なお、実施形態１と同様に、記録管理情報の読み取りを試みて、エラーとなる場合には新たに記録管理情報を記録する処理を追加しても良い。この処理は、記録ステップ（Ｓ１１０１）以降であれば、どの段階で行っても良い。
【００３９】
（実施形態３の効果の簡単な説明）以上のように、本実施形態の光ディスク記録再生装置では、光ディスク挿入時に記録管理情報が検索できないことにより読み取りができないリスクを減じるという優れた効果を奏する。
【００４０】
≪実施形態４≫  （実施形態４の概念）本実施形態の光ディスク記録再生装置は、実施形態２の光ディスク記録再生装置を基本とし、さらに、記録部に記録された記録管理情報のアドレスと、検索されたアドレスとを比較して一致しなかった場合には、再度記録管理情報を記録する第二再記録手段を備えていることを特徴とする。以下、本実施形態の光ディスク記録再生装置の構成を説明しつつ、記録管理情報が一致しなかった場合に再度記録管理情報を記録するための具体的処理について説明する。
【００４１】
（実施形態４の構成）図１２は、本実施形態の光ディスク記録再生装置の機能ブロックの一例を表す図である。図１２にあるように、本実施形態の光ディスク記録再生装置（１２００）は、実施形態２に記載の光ディスク記録再生装置を基本として、「記録部」（１２０１）と、「検索部」（１２０２）と、「比較部」（１２０３）と、を有する。ただし、上記機能ブロックは実施形態１または２で説明済みであるのでその説明は省略する。そして特徴点として、「記録部」（１２０１）が「第二再記録手段」（１２０４）をさらに有する。
【００４２】
（実施形態４の構成の説明）「第二再記録手段」（１２０４）は、記録部に備えられ、比較部において、記録部にて記録された記録管理情報のアドレスと、検索部にて検索された記録管理情報のアドレスとを比較して一致しなかった場合に再度記録管理情報を記録する機能を有する。「記録部にて記録された記録管理情報のアドレスと、検索部にて検索された記録管理情報のアドレスとを比較して一致しなかった場合」とは、記録部にて記録された記録管理情報のアドレスと、検索部にて検索された記録管理情報のアドレスとが異なる場合である。この場合には、第二再記録手段により新たに記録管理情報の記録を行う。
【００４３】
図１３（A）に示すように、例えば、実施形態１のDVD-Rディスクにおいて、最後に記録したRMD（１３０１）の書き込みエラーにより、１６個のセクタを有する１ECCブロックの内、１５個のセクタしか書き込みが成功せず、最後の1セクタ分情報が欠落した場合について説明する。この場合において、RMDが正確に記録されていないにも関わらず、RF検索（１３０２）により記録管理情報末尾IDが誤ってxxxx40h（１３０３）と読み取られ、移行後LPPアドレスが誤ってxxxx04h（１３０４）と読み取られた場合には、下位二桁において所定の関係「移行後LPPアドレス×10h＝記録管理情報末尾ID」を満たしているため、最新のRMDのアドレス検索は成功したと判断される。しかし、この場合には比較部にて、実際に記録したRMDの最後のIDxxxx3fhと、検索されたIDxxxx40hを比較することにより、両者は一致しないと判断される。この場合には、１セクタ分読み取り誤差があったことを確認することができる。そして、第二再記録手段によりRMDが再び記録される。RMDの再記録方法は、図１３（B）に示すように読み取り誤差が生じた１セクタ分についてはIDを有するダミー情報（１３０５）を記録し、IDxxxx40hから新しくRMD（１３０６）を記録してもいいし、図１３（C）のように最後の欠落した１セクタ分から、すなわちIDxxxx3fhから新しくRMD（１３０７）を記録してもいい。なお、前者の場合には、実施形態１における記録管理情報末尾IDと移行後LPPアドレスの所定の関係は変わらないが、後者の場合は所定の関係が変更されるため（下位二桁において「移行後LPPアドレス×10h＋fh＝記録管理情報末尾ID」）、以後の記録管理情報の検索においても変更された所定の関係を満たすか否かの判断をする必要がある。
【００４４】
（実施形態４の処理の流れ）図１４に示すのは、本実施形態の処理の流れの一例を表すフローチャートである。図１４にあるように、まず、記録管理情報を光ディスクに書き込む（記録ステップＳ１４０１）。次に、記録ステップにて記録された最新の記録管理情報のアドレスを検索する（検索ステップＳ１４０２）。次に、記録ステップにて記録された記録管理情報のアドレスと、検索ステップにて検索された記録管理情報のアドレスとを比較する（比較ステップＳ１４０３）。比較ステップにおいて、記録ステップにて記録された記録管理情報のアドレスと、検索ステップにて検索された記録管理情報のアドレスとを比較して、一致するかどうかを判断し（Ｓ１４０４）、一致しなかった場合には、再度記録管理情報を記録する（第二再記録ステップＳ１４０５）。第二再記録ステップにて再度記録管理情報を記録した後は、再び検索ステップ（Ｓ１４０２）を行い、次に比較ステップにて第二再記録ステップによって記録された記録管理情報のアドレスと、検索ステップにて検索されたアドレスとが一致するかどうかを比較し（Ｓ１４０３）、判定する（Ｓ１４０４）。記録ステップにて記録された記録管理情報のアドレスと、検索ステップにて検索された記録管理情報のアドレスが一致するまでこの第二再記録ステップ（Ｓ１４０５）を繰り返す。なお、実施形態１と同様に、記録管理情報の読み取りを試みて、エラーとなる場合には新たに記録管理情報を記録する処理を追加しても良い。この処理は、記録ステップ以降であれば、どの段階で行っても良い。
【００４５】
（実施形態４の効果の簡単な説明）以上のように、本実施形態の光ディスク記録再生装置では、実際に記録された記録管理情報のアドレスと、光ディスク挿入時に検索された記録管理情報のアドレスが一致しないことにより読み取りができないリスクを減じるという優れた効果を奏する。
【図面の簡単な説明】
【００４６】
【図１】実施形態１の機能ブロック図
【図２】光ディスクのデータ領域構造を表す図
【図３】最新のRMDを説明する図
【図４】実施形態１の処理の流れを表す図
【図５】実施形態２の機能ブロック図
【図６】実施形態２の処理の流れを表す図
【図７】実施形態３の機能ブロック図
【図８】検索エラーとなる場合を説明する図（１）
【図９】検索エラーとなる場合を説明する図（２）
【図１０】検索エラーとなる場合を説明する図（３）
【図１１】実施形態３の処理の流れを表す図
【図１２】実施形態４の機能ブロック図
【図１３】比較したアドレスが一致しない場合を説明する図
【図１４】実施形態４の処理の流れを表す図
【符号の説明】
【００４７】
０５００    光ディスク記録再生装置
０５０１    記録部
０５０２    検索部
０５０３    比較部
０５１０    光ディスク
【図１】
0004484777.tif 000002
【図２】
0004484777.tif 000003
【図３】
0004484777.tif 000004
【図４】
0004484777.tif 000005
【図５】
0004484777.tif 000006
【図６】
0004484777.tif 000007
【図７】
0004484777.tif 000008
【図８】
0004484777.tif 000009
【図９】
0004484777.tif 000010
【図１０】
0004484777.tif 000011
【図１１】
0004484777.tif 000012
【図１２】
0004484777.tif 000013
【図１３】
0004484777.tif 000014
【図１４】
0004484777.tif 000015